(57)【要約】【課題】  灯油用ポリ容器に代表される液体容器は、液体が満杯の状態では重すぎて移動させることが難しい老人婦女子が多々存在している。また、これを台車などに搭載して移動させることも面倒である。更に、液体容器に車輪その他の部材を取り付ける好適な方法もなく、低コストな製品は存在していなかった。【解決手段】  概ね直方体形状であるプラスチック製容器本体と、該容器本体に付設される搬送部材とにより構成されるカート式液体容器であり、該搬送部材は、伸縮杆付き把手と一対の車輪、及びこれらを連結しつつ該容器本体背面部分に係止する固定部材とにより形成されており、また、該容器本体の少なくとも天面及び底面には係止用凹部が形成されており、該固定部材に設けられた該容器本体への係止手段は、該容器本体を挟持すると共に該係止用凹部に嵌り込む引っ掛けツメを具備する板状体である。【選択図】  図１
2006206126.tif 000002
【特許請求の範囲】
【請求項１】
概ね直方体形状であるプラスチック製容器本体と、該容器本体に付設される搬送部材とにより構成されるカート式液体容器であり、該搬送部材は、伸縮杆付き把手と一対の車輪、及びこれらを連結しつつ該容器本体背面部分に係止する固定部材とにより形成されており、また、該容器本体の少なくとも天面及び底面には係止用凹部が形成されており、該固定部材に設けられた該容器本体への係止手段は、該容器本体を挟持すると共に該係止用凹部に嵌り込む引っ掛けツメを具備する板状体であることを特徴とする液体容器。
【請求項２】
該固定部材に設けられた係止手段は、該容器本体の天面及び底面以外に、両側面をも挟持すべく、引っ掛けツメを具備する板状体を側面側にも有し、且つ該容器本体側にも相当する箇所に係止用凹部が形成されているものである請求項１記載の液体容器。
【請求項３】
側面側の板状体は、引っ掛けツメ部分が別体であり、ボルト留めによって該板状体と一体化されるものである請求項２記載の液体容器。
【発明の詳細な説明】
【技術分野】
【０００１】
本発明は、キャリングカートの如く移動させることができ、また保管収納時にも邪魔にならず、しかも製造の容易な液体容器の構造に関するものである。
【背景技術】
【０００２】
１０リットルから２０リットル程度の容量の、手で持ち運べるサイズの灯油容器や水容器は、全国ほとんどの家庭において目にすることができる。かつては直方体や円筒形の金属缶が主流であったが近時は、プラスチック製のものに取って代わっている。
【０００３】
例えば灯油容器に着目すると、家庭用の灯油容器容量は、基本的に１８リットル、又は２０リットルであり、また全体形状は直方体であって天面位置には一体成形によって把手が設けられており手で持ち上げることができるものとなっている（こうした容器は一般に「灯油用ポリタンク」「灯油用ポリ容器」等と呼ばれている）。
【特許文献１】特開２００２−３０８４００
【発明の開示】
【発明が解決しようとする課題】
【０００４】
一般的な灯油用ポリ容器の場合、灯油を満杯にした時の重量は２０ｋｇ前後となる。この重量は、持ち運びや取り回しするのにはやや重すぎる。特に婦女子老人にとっては、５メートル、１０メートルといった小移動の際ですら困難となる重量であり、灯油残量が余程少なくならない限り実際には「動かせないもの」となっている場合も多い。そうした背景もあり、灯油の購入を宅配に頼らざるを得ない世帯も少なくなく、すぐ近くのガソリンスタンドでは驚くほど安価に販売されているのにもかかわらず、配達してもらうしかないという場面も多々目にする。
【０００５】
またこのように「動かせないもの」となっている灯油容器であるので、灯油ストーブへの給油作業の便を図るため、ついつい屋内に、それも防災上の問題があるような場所に灯油用ポリ容器を置いてしまう、ということも少なくない。
【０００６】
或いは、移動させる際には台車やキャリングカートのような搬送用機材に紐類その他で灯油容器を括り付け、移動が済んだら取り外す、といったことを行うこともあるかも知れないが、確実な固定の困難な、そして付け外しの面倒な、作業である。
【課題を解決するための手段】
【０００７】
そこで本発明者は上記点に鑑み鋭意研究の結果遂に本発明をなしたものでありその特徴とするところは、概ね直方体形状であるプラスチック製容器本体と、該容器本体に付設される搬送部材とにより構成されるカート式液体容器であり、該搬送部材は、伸縮杆付き把手と一対の車輪、及びこれらを連結しつつ該容器本体背面部分に係止する固定部材とにより形成されており、また、該容器本体の少なくとも天面及び底面には係止用凹部が形成されており、該固定部材に設けられた該容器本体への係止手段は、該容器本体を挟持すると共に該係止用凹部に嵌り込む引っ掛けツメを具備する板状体である点にある。
【０００８】
即ち本発明は、プラスチック製の容器に車輪や把手を取り付ける際に、容器の水密性並びに強度を保持しつつ、接着という手段を用いず、簡単に製造できる構造を提供するものである。
【０００９】
この目的を達成するために本発明者は「引っ掛けツメの係合」という構造を採用した。これは、容器本体が概ね直方体状であることを利用したもので、背面上に配置された部材が、天面側、底面側、及び要すれば両側面側、に一部回り込む板状体を有しており、加えてこれらの板状体先端がそれぞれ容器本体の内部方向に突出する「ツメ」を形成し、容器本体の該ツメ位置には凹部が形成されていて、該ツメを食い込ませるような形で収納するものである。
【００１０】
ここで「容器本体」とは、水密を保って液体を保持する部分であって、格納される液体としては、水や灯油が該当する。本発明において容器本体は、概ね直方体の外観形状をしているがこれは、正面、背面、天面、底面、及び両側面を有していることを指しており、背面に搬送部材が取設されること、天面、底面、及び要すれば両側面に、ツメ収納凹部を有していること、該搬送部材の本体への固定は、ツメがこれらのツメ収納部へ嵌り込んで得られる係合力に依存すること、という条件を満たすための構造ということを意味するものである。従って、本来稜を形成すべき部分が丸みを帯びている、面（例えば正面）が湾曲している、等々の形状のものであっても「直方体状」の概念に属するものとする。
【００１１】
「搬送部材」とは、容器を移動させる際に機能する「把手」及び「車輪」、容器との一体化に貢献する「固定部材」とにより成るものである。
【００１２】
「把手」は、伸縮杆先端に設けられている。伸縮杆は、テレスコピック構造（振出式釣竿の如き入れ子方式による伸縮構造）を持つ１本或いは１対の棒材であり、把手はこの先端位置に設けられている。従って、移動時には伸縮杆を伸長させ、不使用時（保管時等）には収縮させることができる。
【００１３】
「車輪」は、一対（２輪）設けられる。移動の際には接地することが必須であるが、不使用時には床面や地面から離反していることが望ましい。そのため、車輪の取り付け構造に工夫を凝らし、例えば車軸が可動のものとする等しても良いが、移動の際には容器本体を傾斜させるものであるのでそれを利用し、本体を少し傾けてやれば車輪が接地するような位置にこれを配置するだけでも充分機能する。
【００１４】
固定部材は、容器本体の背面部分に設置され、該容器本体の少なくとも天面及び底面に回り込む板状体であり、且つその先端には引っ掛けツメが設けられている。この「引っ掛けツメ」は、該容器本体の天面、底面等に達した後その内部方向に入り込むような形状をしている。引っ掛けツメの構造の詳細は、板状体と一体であるのか別体であるのかを含め本発明において限定しない。なお、より強固な一体化を図るために、容器本体の天面、底面以外に、両側面側にも板状体が回り込むようにしても良い。勿論両側面側に回り込んだ板状体の先端位置にも「引っ掛けツメ」が設けられていることは言うまでもないが、引っ掛けツメの個数が増えるに従って、搬送部材の容器本体への取り付けに要する力は大きくなるのが一般的であるので、引っ掛けツメ部分は板状体と別体とし、これを取り外した状態で搬送部材を容器本体に取り付け、その後両側面側の引っ掛けツメを取り付けるようにしても良い。
【００１５】
また「固定部材」は容器本体の「背面部分」に固定されると述べたが、実際には「固定部材が配置される容器本体箇所を背面部分とする」という定義が適当である。いずれにせよ容器本体は、搬送部材を伴うことにより大きな労力なく移動されるようになるものであって、移動の形態は、キャリィングカートの如きもの、即ち本体に１対の車輪を付帯しており、本体をやや傾けながら本体から突出している把手を握り、引っ張りながら動かす、というものが基本となる。
【発明の効果】
【００１６】
本発明に係る液体容器は、以下述べる如き効果を有する極めて高度な発明である。
【００１７】
（１）  手で持ち上げるには重量のある満杯状態の液体容器であっても、車輪を有しているためこれを転がしてやれば移動させることができる。また把手を有しているので操作は簡単である。
（２）  車輪や把手などの各部材は、一体化された搬送部材を容器本体に嵌め込むだけで取り付けられるので製造が容易である。
【発明を実施するための最良の形態】
【００１８】
以下図面に基づいて本発明を更に詳細に説明する。
【実施例】
【００１９】
図１は、本発明に係る液体容器１（以下本発明容器１という）の一例の分解斜視図を示すものである。図より明らかなように本発明容器１は、容器本体２と、幾つかの部材が一体化されて成る搬送部材３とにより構成されるものである。容器本体２に充填（収納）される液体は本例の場合灯油であり、大きさについても一応１８リットル収容のものを想定して描出しているが、本発明はこれに限定されるものではない。
【００２０】
この搬送部材３は、一対の車輪４と、先端に把手５を有する一対の伸縮杆６、及びこれらを連結する固定部材７とにより構成されている。更にこの固定部材７は、容器本体２の天面に回り込む鉄製の板状体７１を有する基礎板７０と、底面に回り込む同じく鉄製の二本の板状体７２を有する基礎板７３とにより構成されている。そしてこれら板状体７１、７２の先端はほぼ直角に折曲し、引っ掛けツメ８が形成されている。また、基礎板７０、７３の両端にはそれぞれボルト孔が刻設されており、搬送部材３を容器本体２背面に設けられた留め孔にボルト８３によって簡単に固定できるように構成されている。
【００２１】
図２（ａ）（ｂ）に示すように引っ掛けツメ８は、容器本体２の相当箇所に設けられた係止用凹部２１に嵌り込むことによって容器本体２と搬送部材３とを合体させるためのものである。嵌め込みは、板状体７１、７２の弾性変形に依存し、搬送部材３を容器本体２に押し当てることで完了する。係止用凹部２１の形状は、単に引っ掛けツメ８が丁度嵌り込む大きさのスリット様の凹部であっても良いがその場合には、嵌め込む際に板状体７１や７２を拡げてやらなければならず面倒な作業となる。そこで同図（ａ）に示すように容器２の背面から係止用凹部２１にかけて平行段差９１、或いは同図（ｂ）に示すように傾斜段差９２を設け、搬送部材３を容器本体２に押し当てる際に板状体７１や７２を拡げてやる力が小さくて済むようにすると好適である。但しこの平行段差９１、傾斜段差９２等の存在は本発明を限定するものではない。
【００２２】
次に図３（ａ）（ｂ）は、本発明の他の例を示すものである。本例では、固定部材７は５本の板状体７１、７２、７２、７３を具備している。即ち、前例と異なり容器本体２の両側面に回り込む板状体７３を有している。そしてこの板状体７３は、本来先端位置にある引っ掛けツメ８が別体となっており、先端近傍に挿通孔が刻設されている。本発明容器１製作に際しては、先ず容器本体２にこの引っ掛けツメ８をセットし、その後端側にあるボルト８１を板状体７３の挿通孔に通し、最後にナット８２にて固定する。
【００２３】
なお、図１で示したボルト８３、図３で示した板状体７３は、板状体７１及び７２による固定を補佐するものであるが、本発明者が実験した範囲では搬送部材３の容器本体２への固定は、板状体７１と７２だけで充分であり、本発明に不可欠の要素ではない。
【図面の簡単な説明】
【００２４】
【図１】本発明に係る液体容器の一例を示す概略分解斜視図である。
【図２】（ａ）（ｂ）は、本発明に係る液体容器の引っ掛けツメ及び係止用凹部付近の詳細を示すいずれも斜視図である。
【図３】（ａ）（ｂ）は、本発明に係る液体容器の他の例を示すものであり、（ａ）は概略正面図、（ｂ）は部分拡大斜視図を含む概略側面図である。
【符号の説明】
【００２５】
１    本発明に係る液体容器
２    容器本体
２１  係止用凹部
３    搬送部材
４    車輪
５    把手
６    伸縮杆
７    固定部材
７１  板状体（天面）
７２  板状体（底面）
７３  板状体（側面）
８    引っ掛けツメ
８１  ボルト
８２  ナット
８３  ボルト
９１  平行段差
９２  傾斜凹部
【図１】
2006206126.tif 000003
【図２】
2006206126.tif 000004
【図３】
2006206126.tif 000005